(57)【特許請求の範囲】
【請求項１】
加入者線を経由して発呼加入者に供給される直流電源が、被呼加入者応答時に極性反転し、被呼加入者復旧時に極性復帰する交換網に収容される電話装置であって、
該電話装置の利用者が、電話回路をオンフック状態からオフフック状態に設定変更した場合に、予め定められた時間、前記加入者線を経由して前記交換網に、前記電話回路を経由するループ回路を形成するフックスイッチと、
前記フックスイッチが前記ループ回路を形成した場合に、前記フックスイッチのループ形成状態に拘らず、前記ループ回路を保持し、前記交換網から前記加入者線を経由して供給される直流電源が極性反転した場合に、前記ループ回路の保持を停止する第一のループ回路保持手段と、
前記第一のループ回路保持手段が前記ループ回路を保持した状態で、前記交換網から前記加入者線を経由して供給される直流電源が極性反転した場合に、前記第一のループ回路保持手段のループ保持状態に拘らず、前記ループ回路を保持し、前記交換網から前記加入者線を経由して供給される直流電源が極性復帰した場合に、前記ループ回路を解放する第二のループ回路保持手段とを具備することを特徴とする電話装置。
【請求項２】
前記第一のループ回路保持手段は、前記交換網から前記加入者線を経由して供給される極性が非反転状態にある直流電源に対して導通状態を呈し、前記交換網から前記加入者線を経由して供給される極性が反転状態にある直流電源に対して遮断状態を呈する第一のダイオードと、該第一のダイオード、前記フックスイッチおよび前記電話回路を経由して流れる直流ループ電流により動作し、前記フックスイッチに並列に自己保持回路を形成し、且つ前記第二のループ回路保持手段に対して前記交換網から前記加入者線を経由して供給される直流電源を印加する接点を具備する第一のリレーとから構成され、前記第二のループ回路保持手段は、前記交換網から前記加入者線を経由して供給される極性が反転状態にある直流電源に対して導通状態を呈し、前記交換網から前記加入者線を経由して供給される極性が非反転状態にある直流電源に対して遮断状態を呈する第二のダイオードと、該第二のダイオード、前記第一のリレーの接点および前記電話回路を経由して流れる直流ループ電流により動作し、前記第一のリレーの接点に並列に自己保持回路を形成する第二のリレーとから構成されることを特徴とする請求項１記載の電話装置。
【請求項３】
前記第一のループ回路保持手段は、前記交換網から前記加入者線を経由して供給される極性が非反転状態にある直流電源により付勢され、前記フックスイッチに並列に自己保持回路を形成し、且つ前記第二のループ回路保持手段に対して前記交換網から前記加入者線を経由して供給される直流電源を印加する開閉素子を具備する第一のフォトカプラから構成され、前記第二のループ回路保持手段は、前記交換網から前記加入者線を経由して供給される極性が反転状態にある直流電源により付勢され、前記第一のフォトカプラの開閉素子に並列に自己保持回路を形成する第二のフォトカプラから構成されることを特徴とする請求項１記載の電話装置。
【発明の詳細な説明】
【０００１】
【産業上の利用分野】
本発明は電話装置に関し、特に一本の加入者線に複数の電話装置が並列に接続された場合に、加入者線を効率良く使用可能とする電話装置に関する。
【０００２】
【従来の技術】
図４は本発明の対象となる電話網を例示する図であり、図５は図４における発呼加入者線の電位変化を例示する図である。
【０００３】
図４に示される電話網においては、交換機（１０）に対して複数の電話装置（２０）〔個々の電話装置を（２０1 ）、（２０1 ）等と称する、以下同様〕が、加入者線（３０）を経由して収容されている。
【０００４】
なお加入者線（３０1 ）および（３０2 ）には、それぞれ単独の電話装置（２０1 ）および（２０2 ）が接続されているが、加入者線（３０3 ）には、複数の電話装置（２０3 ）が並列に接続されている。
【０００５】
交換機（１０）は、それぞれ加入者線（３０）を経由して各電話装置（２０）に、直流電源〔例えば直流−４８ボルト〕を供給する。
電話装置（２０）が空き状態〔所謂オンフック状態〕にある場合には、交換機（１０）は加入者線（３０）の回線（Ｌ1 ）に対して直流＋０ボルトを、回線（Ｌ2 ）に対して直流−４８ボルトを供給している。
【０００６】
図５において、例えば電話装置（２０1 ）が電話装置（２０2 ）に対して発呼し〔所謂オフフック状態となる〕〔時点（ｔ1 ）〕、被呼電話装置（２０2 ）の電話番号をダイヤルすると〔時点（ｔ2 ）〕、交換機（１０）は被呼電話装置（２０2 ）を選択・捕捉して呼出信号を送出し、発呼電話装置（２０1 ）には呼出音を返送する〔時点（ｔ3 ）〕。
【０００７】
以上の過程で、交換機（１０）は発呼電話装置（２０1 ）の加入者線（３０1 ）に対し、相変わらず回線（Ｌ1 ）に直流＋０ボルトを、回線（Ｌ2 ）に直流−４８ボルトを供給し続けている。
【０００８】
被呼電話装置（２０2 ）が応答すると〔所謂オフフック状態となると〕、交換機（１０）は被呼電話装置（２０2 ）に対する呼出信号の送出、並びに発呼電話装置（２０1 ）に対する呼出音の返送を停止し、両加入者線（３０1 ）および（３０2 ）間に通話路を設定すると共に、発呼電話装置（２０1 ）の加入者線（３０1 ）に対して供給する直流電源の極性を反転し、回線（Ｌ1 ）に直流−４８ボルトを、回線（Ｌ2 ）に直流＋０ボルトを供給する〔時点（ｔ4 ）〕。
【０００９】
やがて通話が終了し、被呼電話装置（２０2 ）が先に復旧すると〔所謂オンフック状態となると〕、交換機（１０）は発呼電話装置（２０1 ）の加入者線（３０1 ）に対して供給する直流電源の極性を応答前の状態に復帰し、回線（Ｌ1 ）に直流＋０ボルトを、回線（Ｌ2 ）に直流−４８ボルトを供給する〔時点（ｔ5 ）〕。
【００１０】
かかる状態で、発呼電話装置（２０1 ）が復旧せず、オフフック状態を継続していると、交換機（１０）が被呼電話装置（２０2 ）が復旧してから予め定められた時間〔一名強切タイミング〕が経過した後、発呼電話装置（２０1 ）と被呼電話装置（２０2 ）との間に設定されている通話路を解放すると共に、加入者線（３０1 ）をロックアウト状態に設定し、発呼電話装置（２０1 ）に対して話中音を返送する〔時点（ｔ6 ）〕。
【００１１】
更に発呼電話装置（２０1 ）が復旧すると〔オンフック状態となると〕、交換機（１０）は加入者線（３０1 ）を空き状態に設定し、電話装置（２０1 ）を発着信可能とする〔時点（ｔ7 ）〕。
【００１２】
なお加入者線（３０3 ）に接続されている電話装置（２０3 ）の一台が発呼した場合には、交換機（１０）は前述と同様の過程で、呼を設定するが、通話終了後、発呼電話装置（２０3 ）がオフフック状態を継続している限り、交換機（１０）は加入者線（３０3 ）をロックアウト状態に維持し続ける為、加入者線（３０3 ）に接続されている他の電話装置（２０3 ）は総て発着信が不可能となる。
【００１３】
【発明が解決しようとする課題】
以上の説明から明らかな如く、従来ある電話装置においては、一本の加入者線（３０3 ）に複数の電話装置（２０3 ）が並列に接続している状態で、一台の電話装置（２０3 ）が通話終了後、何時迄もオフフック状態を継続していると、交換機（１０）は加入者線（３０3 ）をロックアウト状態に維持し続ける為、加入者線（３０3 ）に接続されている他の電話装置（２０3 ）は総て発着信が不可能となる問題があった。
【００１４】
本発明は、一本の加入者線に複数の電話装置が並列に接続している場合に、加入者線を極力有効に使用可能とすることを目的とする。
【００１５】
【課題を解決するための手段】
図１は本発明の原理図である。
図１において、２００は本発明の対象となる電話装置、１００は電話装置（２００）を収容する交換網、３００は電話装置（２００）を交換網（１００）に接続する加入者線、２０１は電話装置（２００）内に設けられている電話回路である。
【００１６】
交換網（１００）は、加入者線（３００）を経由して発呼加入者に供給する直流電源を、被呼加入者応答時に極性反転し、被呼加入者復旧時に極性復帰する。
２０２は、本発明により電話装置（２００）に設けられたフックスイッチである。
【００１７】
２０３は、本発明により電話装置（２００）に設けられた第一のループ回路保持手段である。
２０４は、本発明により電話装置（２００）に設けられた第二のループ回路保持手段である。
【００１８】
【作用】
フックスイッチ（２０２）は、電話装置（２００）の利用者が、電話回路（２０１）をオンフック状態からオフフック状態に設定変更した場合に、予め定められた時間、加入者線（３００）を経由して交換網（１００）に、電話回路（２０１）を経由するループ回路を形成する。
【００１９】
第一のループ回路保持手段（２０３）は、フックスイッチ（２０２）がループ回路を形成した場合に、フックスイッチ（２０２）のループ形成状態に拘らず、ループ回路を保持し、交換網（１００）から加入者線（３００）を経由して供給される直流電源が極性反転した場合に、ループ回路の保持を停止する。
【００２０】
第二のループ回路保持手段（２０４）は、第一のループ回路保持手段（２０３）がループ回路を保持した状態で、交換網（１００）から加入者線（３００）を経由して供給される直流電源が極性反転した場合に、第一のループ回路保持手段（２０３）のループ保持状態に拘らず、ループ回路を保持し、交換網（１００）から加入者線（３００）を経由して供給される直流電源が極性復帰した場合に、ループ回路を解放する。
【００２１】
なお第一のループ回路保持手段（２０３）は、交換網（１００）から加入者線（３００）を経由して供給される極性が非反転状態にある直流電源に対して導通状態を呈し、交換網（１００）から前記加入者線（３００）を経由して供給される極性が反転状態にある直流電源に対して遮断状態を呈する第一のダイオードと、該第一のダイオード、フックスイッチ（２０２）および電話回路（２０１）を経由して流れる直流ループ電流により動作し、フックスイッチ（２０２）に並列に自己保持回路を形成し、且つ第二のループ回路保持手段（２０４）に対して交換網（１００）から加入者線（３００）を経由して供給される直流電源を印加する接点を具備する第一のリレーとから構成され、また第二のループ回路保持手段（２０４）は、交換網（１００）から加入者線（３００）を経由して供給される極性が反転状態にある直流電源に対して導通状態を呈し、交換網（１００）から加入者線（３００）を経由して供給される極性が非反転状態にある直流電源に対して遮断状態を呈する第二のダイオードと、第二のダイオード、第一のリレーの接点および電話回路（２０１）を経由して流れる直流ループ電流により動作し、第一のリレーの接点に並列に自己保持回路を形成する第二のリレーとから構成されることが考慮される。
【００２２】
また第一のループ回路保持手段（２０３）は、交換網（１００）から加入者線（３００）を経由して供給される極性が非反転状態にある直流電源により付勢され、フックスイッチ（２０２）に並列に自己保持回路を形成し、且つ第二のループ回路保持手段（２０４）に対して交換網（１００）から加入者線（３００）を経由して供給される直流電源を印加する開閉素子を具備する第一のフォトカプラから構成され、また第二のループ回路保持手段（２０４）は、交換網（１００）から加入者線（３００）を経由して供給される極性が反転状態にある直流電源により付勢され、第一のフォトカプラの開閉素子に並列に自己保持回路を形成する第二のフォトカプラから構成されることが考慮される。
【００２３】
従って、本発明によれば、通話終了後、被呼側の電話装置が先に復旧すると、発呼側の電話装置も自動的にオンフック状態に移行する為、発呼側の加入者線が直ちに空き状態となり、発呼側の加入者線に複数の電話装置が並列に接続されていた場合に、他の電話装置が直ちに発着信可能となり、当該加入者線の利用効率が大幅に向上する。
【００２４】
【実施例】
以下、本発明の一実施例を図面により説明する。
図２は本発明の一実施例による電話装置を示す図であり、図３は図２における動作図である。なお、全図を通じて同一符号は同一対象物を示す。また対象とする電話網は、図４に示す通りとし、また交換機（１０）が発呼加入者線に供給する直流電位の変化は図５に示す通りとする。
【００２５】
なお図２に示される電話装置は、発呼側に必要な部分のみが示され、例えば呼出信号の受信部等、被呼側に必要な部分は省略されている。
図２および図４においては、図１における交換網（１００）として単一の交換機（１０）が示され、また図１における電話装置（２００）として電話装置（２０）が示され、また図１における加入者線（３００）として加入者線（３０）が示され、また図１における電話回路（２０１）として電話回路部（３）が示されている。
【００２６】
また図２においては、図１におけるフックスイッチ（２０２）としてフックスイッチ（５）が設けられ、また図１における第一のループ回路保持手段（２０３）として、ａ1 接点（６１）およびａ2 接点（６２）を具備するＡリレー（６）およびダイオード（８）が設けられ、また図１における第二のループ回路保持手段（２０４）として、ｂ1 接点（７１）を具備するＢリレー（７）およびダイオード（９）が設けられている。
【００２７】
図２において、電話回路部（３）は、一般の電話機と同様に、交換機（１０）から加入者線（３０）を経由して直流電源〔直流−４８ボルト〕を供給され、送受話機能、並びに被呼電話装置の電話番号を選択信号として、直流ダイヤルパルスまたは押しボタンダイヤル信号〔所謂ＰＢ信号〕で送出する機能を具備している。
【００２８】
またフックスイッチ（４）は、通常の電話機に設けられているフックスイッチと同様に、電話装置（２０）がオンフック状態にある場合には遮断状態に設定され、電話装置（２０）がオフフック状態にある場合に導通状態に設定される。
【００２９】
一方フックスイッチ（５）は、電話装置（２０）がオンフック状態およびオフフック状態にある場合には遮断状態に設定されており、オンフック状態からオフフック状態に移行した時点で〔図３およひ図５時点（ｔ1 ）〕、予め定められた時間〔例えば１００ミリ秒間〕だけ導通状態に設定される。
【００３０】
またＡリレー（６）は遅緩復旧リレーであり、ａ1 接点（６１）およびａ2 接点（６２）を具備しており、またＢリレー（７）は遅緩復旧リレーであり、ｂ1 接点（７１）を具備している。
【００３１】
図２乃至図５において、電話装置（２０）が空き状態〔所謂オンフック状態〕にある場合には、フックスイッチ（４）および（５）は何れも遮断状態に設定され、またＡリレー（６）および（７）は復旧状態にあり、ａ1 接点（６１）、ａ2 接点（６２）およびｂ1 接点（７１）は何れも遮断状態にある為、電話装置（２０）は交換機（１０）に対してループ回路を形成していない。
【００３２】
また交換機（１０）は、加入者線（３０）の回線（Ｌ1 ）に対して直流＋０ボルトを、回線（Ｌ2 ）に対して直流−４８ボルトを供給している。
かかる状態で、発呼者が、例えば加入者線（３０3 ）に並列に接続されている複数の電話装置（２０３）の一台から電話装置（２０2 ）に対して発呼し、電話装置（２０3 ）をオフフック状態とすると、フックスイッチ（４）が遮断状態から導通状態に移行すると共に、フックスイッチ（５）が前記所定時間〔前例では１００ミリ秒間〕だけ導通状態に設定される。
【００３３】
その結果、端子（１）、フックスイッチ（５）、Ａリレー（６）、ダイオード（８）〔順バイアス〕、電話回路部（３）、フックスイッチ（４）および端子（２）を経由するループ回路が形成され、加入者線（３０3 ）の回線（Ｌ1 ）から回線（Ｌ2 ）に直流ループ電流（ＩL ）が流れ、Ａリレー（６）が動作する〔時点（ｔ1 ）〕。
【００３４】
Ａリレー（６）が動作すると、ａ1 接点（６１）およびａ2 接点（６２）が共に導通状態に設定される為、所定時間後にフックスイッチ（５）が遮断状態に設定されても、Ａリレー（６）はａ1 接点（６１）により自己保持を継続し、端子（１）と（２）との間に形成されている直流ループ回路は、ａ1 接点（６１）を経由して引続き保持される。
【００３５】
なおａ2 接点（６２）が導通状態となると、Ｂリレー（７）およひダイオード（９）が、Ａリレー（６）およびダイオード（８）に並列に接続されるが、ダイオード（９）には逆バイアスが印加される為に遮断状態に設定され、Ｂリレー（７）は復旧状態を維持する。
【００３６】
発呼者が被呼電話装置（２０2 ）の電話番号をダイヤルし、電話回路部（３）から直流ダイヤルパルスが送出されると、端子（１）と（２）との間に形成されている直流ループ回路が断続されるが、Ａリレー（６）は前述の如く遅緩復旧リレーである為、動作状態を継続する〔時点（ｔ2 ）〕。
【００３７】
交換機（１０）は、前述と同様の過程で、被呼電話装置（２０2 ）を選択・捕捉して呼出信号を送出し、発呼電話装置（２０3 ）には呼出音を返送する〔時点（ｔ3 ）〕。
【００３８】
被呼電話装置（２０2 ）が応答すると〔所謂オフフック状態となると〕、交換機（１０）は、前述と同様に、被呼電話装置（２０2 ）に対する呼出信号の送出、並びに発呼電話装置（２０3 ）に対する呼出音の返送を停止し、両加入者線（３０3 ）および（３０2 ）間に通話路を設定すると共に、発呼電話装置（２０1 ）の加入者線（３０3 ）に対して供給する直流電源の極性を反転し、回線（Ｌ1 ）に直流−４８ボルトを、回線（Ｌ2 ）に直流＋０ボルトを供給する〔時点（ｔ4 ）〕。
【００３９】
かかる状態では、ダイオード（８）には逆バイアスが印加されることとなる為、遮断状態に設定され、Ａリレー（６）には直流ループ電流（ＩL ）が流れなくなり、遅緩復旧を開始するが、ダイオード（９）には順バイアスが印加されることとなる為、導通状態に設定され、電話装置（２０3 ）内に形成されていた直流ループ回路は、端子（２）からフックスイッチ（４）、電話回路部（３）、ダイオード（９）、Ｂリレー（７）およびａ2 接点（６２）を経由して端子（１）に引続き形成されることとなり、Ｂリレー（７）には直流ループ電流（ＩL ）が流れ始め、動作開始する。
【００４０】
Ｂリレー（７）が動作すると、ｂ1 接点（７１）が導通状態に設定される為、Ａリレー（６）が遅緩復旧した後、ａ2 接点（６２）が遮断状態に設定されても、Ｂリレー（７）はｂ1 接点（７１）により自己保持を継続し、端子（２）と（１）との間に形成されている直流ループ回路は、ｂ1 接点（７１）を経由して引続き保持される。
【００４１】
やがて通話が終了し、被呼電話装置（２０2 ）が先に復旧すると〔所謂オンフック状態となると〕、交換機（１０）は、前述と同様に、発呼電話装置（２０3 ）の加入者線（３０3 ）に対して供給する直流電源の極性を応答前の状態に復帰し、回線（Ｌ1 ）に直流＋０ボルトを、回線（Ｌ2 ）に直流−４８ボルトを供給する〔時点（ｔ5 ）〕。
【００４２】
かかる状態では、ダイオード（９）は再び逆バイアスが印加されることとなり、遮断状態に設定される為、電話装置（２０3 ）内に形成されていた直流ループ回路は解放されることとなり、Ｂリレー（７）には直流ループ電流（ＩL ）が流れなくなって復旧する。
【００４３】
Ｂリレー（７）が復旧すると、ｂ1 接点（７１）が遮断状態に設定される為、電話装置（２０3 ）内に形成されていた直流ループ回路は、交換機（１０）から加入者線（３０3 ）に対して供給される直流電源の極性に拘らず解放状態となり、交換機（１０）に対して電話装置（２０3 ）が復旧した〔オンフック状態となった〕と同様の状態となる。
【００４４】
その結果、交換機（１０）は、被呼電話装置（２０2 ）の復旧に続いて、発呼電話装置（２０1 ）も復旧したと判定し、両加入者線（３０3 ）および（３０2 ）間に設定されている通話路を解放し、加入者線（３０3 ）および（３０2 ）を空き状態に設定し、電話装置（２０2 ）、並びに加入者線（３０3 ）に接続されている総ての電話装置（２０3 ）を発着信可能となる〔時点（ｔ6 ）〕。
【００４５】
なお通話終了後、発呼電話装置（２０3 ）が先に復旧すると、フックスイッチ（４）が遮断状態に設定される為、電話装置（２０3 ）内に形成されていた直流ループ回路は、交換機（１０）から加入者線（３０3 ）に対して供給される直流電源の極性に拘らず解放状態となり、交換機（１０）は加入者線（３０3 ）を空き状態に設定し、加入者線（３０3 ）に接続されている総ての電話装置（２０3 ）を発着信可能とする。
【００４６】
以上の説明から明らかな如く、本実施例によれば、加入者線（３０3 ）に並列に接続された複数の電話装置（２０3 ）の一台が発呼し、通話終了後に被呼電話装置（２０2 ）が先に復旧すると、発呼電話装置（２０3 ）も直ちに復旧状態〔オンフック状態〕に設定される為、加入者線（３０3 ）は空き状態に設定され、加入者線（３０3 ）に接続されている他の電話装置（２０3 ）は直ちに発着信可能となる。
【００４７】
なお、図２乃至図５はあく迄本発明の一実施例に過ぎず、例えば第一のループ回路保持手段（２０３）はＡリレー（６）およびダイオード（８）により構成され、また第二のループ回路保持手段（２０４）はＢリレー（７）およびダイオード（９）により構成されるものに限定されることは無く、フォトカプラにより構成される等、他に幾多の変形が考慮されるが、何れの場合にも本発明の効果は変わらない。更に本発明の対象とする電話網は、図５に示されるものに限定されぬことは言う迄も無い。
【００４８】
【発明の効果】
以上、本発明によれば、通話終了後、被呼側の電話装置が先に復旧すると、発呼側の電話装置も自動的にオンフック状態に移行する為、発呼側の加入者線が直ちに空き状態となり、発呼側の加入者線に複数の電話装置が並列に接続されていた場合に、他の電話装置が直ちに発着信可能となり、当該加入者線の利用効率が大幅に向上する。
【図面の簡単な説明】
【図１】  本発明の原理図
【図２】  本発明の一実施例による電話装置
【図３】  図２における動作図
【図４】  本発明の対象となる電話網
【図５】  図４における発呼加入者線の電位変化
【符号の説明】
１、２  端子
３  電話回路部
４、５、２０２  フックスイッチ
６  Ａリレー
７  Ｂリレー
８、９  ダイオード
１０  交換機
２０、２００  電話装置
３０、３００  加入者線
６１  ａ1 接点
６２  ａ2 接点
７１  ｂ1 接点
１００  交換網
２０１  電話回路
２０３  第一のループ回路保持手段
２０４  第二のループ回路保持手段
【図１】
0003740709.tif 000002
【図２】
0003740709.tif 000003
【図３】
0003740709.tif 000004
【図４】
0003740709.tif 000005
【図５】
0003740709.tif 000006